(57)【要約】      （修正有）【課題】使用勝手を向上させることができる茶筒を提供する。  【解決手段】茶筒１は、上部に開口部を有する筒本体１０と、この筒本体１０の胴部の外表面に環状に設けられたストッパー部Ｂ４と、このストッパー部Ｂ４と筒本体１０の開口部の上端部との間の筒本体１０の胴部の外表面にお茶の入れ方を表示した表示部Ｄと、下部に開口部を有し、筒本体１０の開口部と表示部Ｄとを覆う蓋体２０とを備え、表示部Ｄは、蓋体２０の胴部で覆われ、蓋体２０の開口部の端部がストッパー部Ｂ４に当接して蓋体２０の移動が規制されるものである。【選択図】図２
0003148189.tif 000002
【実用新案登録請求の範囲】
【請求項１】
上部に開口部を有する筒本体と、
この筒本体の胴部の外表面に環状に設けられたストッパー部と、
このストッパー部と前記筒本体の前記開口部の端部との間の前記筒本体の胴部の外表面にお茶の入れ方を表示した表示部と、
下部に開口部を有すると共に、前記筒本体の前記開口部を覆う蓋体とを備え、
前記筒本体の前記開口部を前記蓋体で覆った状態において、前記表示部は、前記蓋体の胴部で覆われ、前記蓋体の前記開口部の端部が前記ストッパー部に当接して前記蓋体の移動が規制される
ことを特徴とする茶筒。
【請求項２】
上部に開口部を有する筒本体と、
この筒本体の胴部の外表面に環状に設けられたストッパー部と、
このストッパー部と前記筒本体の前記開口部の端部との間の前記筒本体の胴部の外表面にお茶の入れ方を表示した表示部と、
下部に開口部を有すると共に、前記筒本体の前記開口部を覆う蓋体とを備え、
前記筒本体の前記開口部を前記蓋体で覆った状態において、前記表示部は、前記蓋体の胴部で覆われ、前記蓋体の前記開口部の端部が前記ストッパー部に当接して前記蓋体の移動が規制され、
前記筒本体は、第１の筒体、第２の筒体、底部材で構成され、
前記第１の筒体は、紙製で、略長方形の短辺の一方側と前記略長方形の短辺の他方側とを接着して円筒形に形成されたものであり、
前記第２の筒体は、紙製で、略長方形の短辺の一方側と前記略長方形の短辺の他方側とを接着して円筒形に形成されると共に、前記第１の筒体の外表面に接着されたものであり、
前記第２の筒体の内径と前記第１の筒体の外径が略同じで、前記第１の筒体の前記略長方形の短辺の長さは、前記第２の筒体の前記略長方形の短辺の長さより長いものであり、
前記第２の筒体の下方の端部は前記第１の筒体の下方の端部と同面か又は前記第２の筒体の下方の端部は前記第１の筒体の下方の端部より下方に位置したものであり、
前記底部材は、紙製で略円盤形状をなし、前記第１の筒体の一方の開口部を塞ぐと共に、前記第１の筒体に接着され、
前記蓋体は、第３の筒体、天井部材で構成され、
前記第３の筒体は、紙製で、略長方形の短辺の一方側と前記略長方形の短辺の他方側とを接着して円筒形に形成されたものであり、
前記第３の筒体の内径は前記第１の筒体の外径よりやや大きいものであり、
前記天井部材は、紙製で略円盤形状をなし、前記第３の筒体の一方の開口部を塞ぐと共に、前記第３の筒体に接着され、
前記筒本体の前記開口部を前記蓋体で覆った状態において、前記第３の筒体の前記開口部の端部が当接する前記第２の筒体の部位が、前記ストッパー部である
ことを特徴とする茶筒。
【請求項３】
上部に開口部を有する筒本体と、
この筒本体の胴部の外表面に環状に設けられたストッパー部と、
このストッパー部と前記筒本体の前記開口部の端部との間の前記筒本体の胴部の外表面に文字又は／及び図柄を表示した表示部と、
下部に開口部を有すると共に、前記筒本体の前記開口部を覆う蓋体とを備え、
前記筒本体の前記開口部を前記蓋体で覆った状態において、前記表示部は、前記蓋体の胴部で覆われ、前記蓋体の前記開口部の端部が前記ストッパー部に当接して前記蓋体の移動が規制される
ことを特徴とする茶筒。
【請求項４】
上部に開口部を有する筒本体と、
この筒本体の胴部の外表面に環状に設けられたストッパー部と、
このストッパー部と前記筒本体の前記開口部の端部との間の前記筒本体の胴部の外表面に文字又は／及び図柄を表示した表示部と、
下部に開口部を有すると共に、前記筒本体の前記開口部を覆う蓋体とを備え、
前記筒本体の前記開口部を前記蓋体で覆った状態において、前記表示部は、前記蓋体の胴部で覆われ、前記蓋体の前記開口部の端部が前記ストッパー部に当接して前記蓋体の移動が規制され、
前記筒本体は、第１の筒体、第２の筒体、底部材で構成され、
前記第１の筒体は、紙製で、略長方形の短辺の一方側と前記略長方形の短辺の他方側とを接着して円筒形に形成されたものであり、
前記第２の筒体は、紙製で、略長方形の短辺の一方側と前記略長方形の短辺の他方側とを接着して円筒形に形成されると共に、前記第１の筒体の外表面に接着されたものであり、
前記第２の筒体の内径と前記第１の筒体の外径が略同じで、前記第１の筒体の前記略長方形の短辺の長さは、前記第２の筒体の前記略長方形の短辺の長さより長いものであり、
前記第２の筒体の下方の端部は前記第１の筒体の下方の端部と同面か又は前記第２の筒体の下方の端部は前記第１の筒体の下方の端部より下方に位置したものであり、
前記底部材は、紙製で略円盤形状をなし、前記第１の筒体の一方の開口部を塞ぐと共に、前記第１の筒体に接着され、
前記蓋体は、第３の筒体、天井部材で構成され、
前記第３の筒体は、紙製で、略長方形の短辺の一方側と前記略長方形の短辺の他方側とを接着して円筒形に形成されたものであり、
前記第３の筒体の内径は前記第１の筒体の外径よりやや大きいものであり、
前記天井部材は、紙製で略円盤形状をなし、前記第３の筒体の一方の開口部を塞ぐと共に、前記第３の筒体に接着され、
前記筒本体の前記開口部を前記蓋体で覆った状態において、前記第３の筒体の前記開口部の端部が当接する前記第２の筒体の部位が、前記ストッパー部である
ことを特徴とする茶筒。
【請求項５】
筒本体の底部からストッパー部に至る高さｈと前記ストッパー部から前記筒本体の開口部の端部に至る高さＨとは、ｈ＜Ｈの関係である
ことを特徴とする請求項１〜４のいずれかの茶筒。
【請求項６】
上部に開口部を有する筒本体と、
この筒本体の胴部の外表面に環状に設けられたストッパー部と、
このストッパー部と前記筒本体の前記開口部の端部との間の前記筒本体の胴部の外表面に文字又は／及び図柄を表示した表示部と、
下部に開口部を有すると共に、前記筒本体の前記開口部を覆う蓋体とを備え、
前記筒本体の前記開口部を前記蓋体で覆った状態において、前記表示部は、前記蓋体の胴部で覆われ、前記蓋体の前記開口部の端部が前記ストッパー部に当接して前記蓋体の移動が規制される
ことを特徴とする容器。
【請求項７】
上部に開口部を有する筒本体と、
この筒本体の胴部の外表面に環状に設けられたストッパー部と、
このストッパー部と前記筒本体の前記開口部の端部との間の前記筒本体の胴部の外表面に文字又は／及び図柄を表示した表示部と、
下部に開口部を有すると共に、前記筒本体の前記開口部を覆う蓋体とを備え、
前記筒本体の前記開口部を前記蓋体で覆った状態において、前記表示部は、前記蓋体の胴部で覆われ、前記蓋体の前記開口部の端部が前記ストッパー部に当接して前記蓋体の移動が規制され、
前記筒本体は、第１の筒体、第２の筒体、底部材で構成され、
前記第１の筒体は、紙製で、略長方形の短辺の一方側と前記略長方形の短辺の他方側とを接着して円筒形に形成されたものであり、
前記第２の筒体は、紙製で、略長方形の短辺の一方側と前記略長方形の短辺の他方側とを接着して円筒形に形成されると共に、前記第１の筒体の外表面に接着されたものであり、
前記第２の筒体の内径と前記第１の筒体の外径が略同じで、前記第１の筒体の前記略長方形の短辺の長さは、前記第２の筒体の前記略長方形の短辺の長さより長いものであり、
前記第２の筒体の下方の端部は前記第１の筒体の下方の端部と同面か又は前記第２の筒体の下方の端部は前記第１の筒体の下方の端部より下方に位置したものであり、
前記底部材は、紙製で略円盤形状をなし、前記第１の筒体の一方の開口部を塞ぐと共に、前記第１の筒体に接着され、
前記蓋体は、第３の筒体、天井部材で構成され、
前記第３の筒体は、紙製で、略長方形の短辺の一方側と前記略長方形の短辺の他方側とを接着して円筒形に形成されたものであり、
前記第３の筒体の内径は前記第１の筒体の外径よりやや大きいものであり、
前記天井部材は、紙製で略円盤形状をなし、前記第３の筒体の一方の開口部を塞ぐと共に、前記第３の筒体に接着され、
前記筒本体の前記開口部を前記蓋体で覆った状態において、前記第３の筒体の前記開口部の端部が当接する前記第２の筒体の部位が、前記ストッパー部である
ことを特徴とする容器。
【請求項８】
筒本体の底部からストッパー部に至る高さｈと前記ストッパー部から前記筒本体の開口部の端部に至る高さＨとは、ｈ＜Ｈの関係である
ことを特徴とする請求項６又は７記載の容器。
【考案の詳細な説明】
【技術分野】
【０００１】
本考案は、茶筒及び容器に係り、特に、使用勝手を向上させることができる茶筒及び容器に関する。
【背景技術】
【０００２】
従来、例えば、業者はお茶の入れ方を表示したしおりを茶筒内に入れて販売し、購入者においしいお茶を提供するようにしている。
【考案の開示】
【考案が解決しようとする課題】
【０００３】
ところが、購入者は茶筒内にしおりがあることを知らなかったり、また、購入者がしおりの存在を知っていても、しおりを茶筒から一々取り出さなければならず不便であり、使用勝手が良好でないという問題点が生じた。
本考案は、上述した問題点を除去するようにした茶筒及び容器を提供することを目的としている。
【課題を解決するための手段】
【０００４】
前記した目的を達成するための本考案の茶筒は、上部に開口部を有する筒本体と、この筒本体の胴部の外表面に環状に設けられたストッパー部と、このストッパー部と前記筒本体の前記開口部の端部との間の前記筒本体の胴部の外表面にお茶の入れ方を表示した表示部と、下部に開口部を有すると共に、前記筒本体の前記開口部を覆う蓋体とを備え、前記筒本体の前記開口部を前記蓋体で覆った状態において、前記表示部は、前記蓋体の胴部で覆われ、前記蓋体の前記開口部の端部が前記ストッパー部に当接して前記蓋体の移動が規制されるものである。
【０００５】
また、請求項２記載の茶筒は、上部に開口部を有する筒本体と、この筒本体の胴部の外表面に環状に設けられたストッパー部と、このストッパー部と前記筒本体の前記開口部の端部との間の前記筒本体の胴部の外表面にお茶の入れ方を表示した表示部と、下部に開口部を有すると共に、前記筒本体の前記開口部を覆う蓋体とを備え、前記筒本体の前記開口部を前記蓋体で覆った状態において、前記表示部は、前記蓋体の胴部で覆われ、前記蓋体の前記開口部の端部が前記ストッパー部に当接して前記蓋体の移動が規制され、前記筒本体は、第１の筒体、第２の筒体、底部材で構成され、前記第１の筒体は、紙製で、略長方形の短辺の一方側と前記略長方形の短辺の他方側とを接着して円筒形に形成されたものであり、前記第２の筒体は、紙製で、略長方形の短辺の一方側と前記略長方形の短辺の他方側とを接着して円筒形に形成されると共に、前記第１の筒体の外表面に接着されたものであり、前記第２の筒体の内径と前記第１の筒体の外径が略同じで、前記第１の筒体の前記略長方形の短辺の長さは、前記第２の筒体の前記略長方形の短辺の長さより長いものであり、前記第２の筒体の下方の端部は前記第１の筒体の下方の端部と同面か又は前記第２の筒体の下方の端部は前記第１の筒体の下方の端部より下方に位置したものであり、前記底部材は、紙製で略円盤形状をなし、前記第１の筒体の一方の開口部を塞ぐと共に、前記第１の筒体に接着され、前記蓋体は、第３の筒体、天井部材で構成され、前記第３の筒体は、紙製で、略長方形の短辺の一方側と前記略長方形の短辺の他方側とを接着して円筒形に形成されたものであり、前記第３の筒体の内径は前記第１の筒体の外径よりやや大きいものであり、前記天井部材は、紙製で略円盤形状をなし、前記第３の筒体の一方の開口部を塞ぐと共に、前記第３の筒体に接着され、前記筒本体の前記開口部を前記蓋体で覆った状態において、前記第３の筒体の前記開口部の端部が当接する前記第２の筒体の部位が、前記ストッパー部である。
【０００６】
また、請求項３記載の茶筒は、上部に開口部を有する筒本体と、この筒本体の胴部の外表面に環状に設けられたストッパー部と、このストッパー部と前記筒本体の前記開口部の端部との間の前記筒本体の胴部の外表面に文字又は／及び図柄を表示した表示部と、下部に開口部を有すると共に、前記筒本体の前記開口部を覆う蓋体とを備え、前記筒本体の前記開口部を前記蓋体で覆った状態において、前記表示部は、前記蓋体の胴部で覆われ、前記蓋体の前記開口部の端部が前記ストッパー部に当接して前記蓋体の移動が規制されるものである。
【０００７】
また、請求項４記載の茶筒は、上部に開口部を有する筒本体と、この筒本体の胴部の外表面に環状に設けられたストッパー部と、このストッパー部と前記筒本体の前記開口部の端部との間の前記筒本体の胴部の外表面に文字又は／及び図柄を表示した表示部と、下部に開口部を有すると共に、前記筒本体の前記開口部を覆う蓋体とを備え、前記筒本体の前記開口部を前記蓋体で覆った状態において、前記表示部は、前記蓋体の胴部で覆われ、前記蓋体の前記開口部の端部が前記ストッパー部に当接して前記蓋体の移動が規制され、前記筒本体は、第１の筒体、第２の筒体、底部材で構成され、前記第１の筒体は、紙製で、略長方形の短辺の一方側と前記略長方形の短辺の他方側とを接着して円筒形に形成されたものであり、前記第２の筒体は、紙製で、略長方形の短辺の一方側と前記略長方形の短辺の他方側とを接着して円筒形に形成されると共に、前記第１の筒体の外表面に接着されたものであり、前記第２の筒体の内径と前記第１の筒体の外径が略同じで、前記第１の筒体の前記略長方形の短辺の長さは、前記第２の筒体の前記略長方形の短辺の長さより長いものであり、前記第２の筒体の下方の端部は前記第１の筒体の下方の端部と同面か又は前記第２の筒体の下方の端部は前記第１の筒体の下方の端部より下方に位置したものであり、前記底部材は、紙製で略円盤形状をなし、前記第１の筒体の一方の開口部を塞ぐと共に、前記第１の筒体に接着され、前記蓋体は、第３の筒体、天井部材で構成され、前記第３の筒体は、紙製で、略長方形の短辺の一方側と前記略長方形の短辺の他方側とを接着して円筒形に形成されたものであり、前記第３の筒体の内径は前記第１の筒体の外径よりやや大きいものであり、前記天井部材は、紙製で略円盤形状をなし、前記第３の筒体の一方の開口部を塞ぐと共に、前記第３の筒体に接着され、前記筒本体の前記開口部を前記蓋体で覆った状態において、前記第３の筒体の前記開口部の端部が当接する前記第２の筒体の部位が、前記ストッパー部である。
【０００８】
また、請求項５記載の茶筒は、請求項１〜４のいずれかの茶筒において、筒本体の底部からストッパー部に至る高さｈと前記ストッパー部から前記筒本体の開口部の端部に至る高さＨとは、ｈ＜Ｈの関係である。
【０００９】
また、請求項６記載の容器は、上部に開口部を有する筒本体と、この筒本体の胴部の外表面に環状に設けられたストッパー部と、このストッパー部と前記筒本体の前記開口部の端部との間の前記筒本体の胴部の外表面に文字又は／及び図柄を表示した表示部と、下部に開口部を有すると共に、前記筒本体の前記開口部を覆う蓋体とを備え、前記筒本体の前記開口部を前記蓋体で覆った状態において、前記表示部は、前記蓋体の胴部で覆われ、前記蓋体の前記開口部の端部が前記ストッパー部に当接して前記蓋体の移動が規制されるものである。
【００１０】
また、請求項７記載の容器は、上部に開口部を有する筒本体と、この筒本体の胴部の外表面に環状に設けられたストッパー部と、このストッパー部と前記筒本体の前記開口部の端部との間の前記筒本体の胴部の外表面に文字又は／及び図柄を表示した表示部と、下部に開口部を有すると共に、前記筒本体の前記開口部を覆う蓋体とを備え、前記筒本体の前記開口部を前記蓋体で覆った状態において、前記表示部は、前記蓋体の胴部で覆われ、前記蓋体の前記開口部の端部が前記ストッパー部に当接して前記蓋体の移動が規制され、前記筒本体は、第１の筒体、第２の筒体、底部材で構成され、前記第１の筒体は、紙製で、略長方形の短辺の一方側と前記略長方形の短辺の他方側とを接着して円筒形に形成されたものであり、前記第２の筒体は、紙製で、略長方形の短辺の一方側と前記略長方形の短辺の他方側とを接着して円筒形に形成されると共に、前記第１の筒体の外表面に接着されたものであり、前記第２の筒体の内径と前記第１の筒体の外径が略同じで、前記第１の筒体の前記略長方形の短辺の長さは、前記第２の筒体の前記略長方形の短辺の長さより長いものであり、前記第２の筒体の下方の端部は前記第１の筒体の下方の端部と同面か又は前記第２の筒体の下方の端部は前記第１の筒体の下方の端部より下方に位置したものであり、前記底部材は、紙製で略円盤形状をなし、前記第１の筒体の一方の開口部を塞ぐと共に、前記第１の筒体に接着され、前記蓋体は、第３の筒体、天井部材で構成され、前記第３の筒体は、紙製で、略長方形の短辺の一方側と前記略長方形の短辺の他方側とを接着して円筒形に形成されたものであり、前記第３の筒体の内径は前記第１の筒体の外径よりやや大きいものであり、前記天井部材は、紙製で略円盤形状をなし、前記第３の筒体の一方の開口部を塞ぐと共に、前記第３の筒体に接着され、前記筒本体の前記開口部を前記蓋体で覆った状態において、前記第３の筒体の前記開口部の端部が当接する前記第２の筒体の部位が、前記ストッパー部である。
【００１１】
また、請求項８記載の容器は、請求項６又は７記載の容器において、筒本体の底部からストッパー部に至る高さｈと前記ストッパー部から前記筒本体の開口部の端部に至る高さＨとは、ｈ＜Ｈの関係である。
【考案の効果】
【００１２】
従来、例えば、業者はお茶の入れ方を表示したしおりを茶筒内に入れていたが、使用者は茶筒内のしおりの存在を知らなかったり、また、使用者がしおりの存在を知っていても、しおりを茶筒から一々取り出さなければならず不便であり、使用勝手が良好でないが、
請求項１記載の茶筒によれば、茶筒の使用時、つまり、蓋体を筒本体から外した状態では、お茶の入れ方を表示した表示部が露出し、蓋体の開動作に伴って、表示部の機能を果たすことができ使用勝手を向上させることができ、また、茶筒の不使用時、つまり、筒本体の開口部を蓋体で覆った状態では、お茶の入れ方を表示した表示部を蓋体で覆って外観的に見えないようにして、その分、蓋体の外表面及び蓋体を装着した筒本体の外表面のデザイン等が占める領域を広く取ることができる等の効果を奏する。
【００１３】
また、請求項２記載の茶筒によれば、茶筒の使用時、つまり、蓋体を筒本体から外した状態では、お茶の入れ方を表示した表示部が露出し、蓋体の開動作に伴って、表示部の機能を果たすことができ使用勝手を向上させることができ、また、茶筒の不使用時、つまり、筒本体の開口部を蓋体で覆った状態では、お茶の入れ方を表示した表示部を蓋体で覆って外観的に見えないようにして、その分、蓋体の外表面及び蓋体を装着した筒本体の外表面のデザイン等が占める領域を広く取ることができ、しかも、ストッパー部の機能付きの茶筒を紙で簡易に製造することができ、素材が紙であることから使用後の廃棄も容易である等の効果を奏する。
【００１４】
また、請求項３記載の茶筒によれば、茶筒の使用時、つまり、蓋体を筒本体から外した状態では、文字又は／及び図柄を表示した表示部が露出し、蓋体の開動作に伴って、表示部の機能を果たすことができ使用勝手を向上させることができ、また、茶筒の不使用時、つまり、筒本体の開口部を蓋体で覆った状態では、表示部を蓋体で覆って外観的に見えないようにして、その分、蓋体の外表面及び蓋体を装着した筒本体の外表面のデザイン等が占める領域を広く取ることができる等の効果を奏する。
【００１５】
また、請求項４記載の茶筒によれば、茶筒の使用時、つまり、蓋体を筒本体から外した状態では、文字又は／及び図柄を表示した表示部が露出し、蓋体の開動作に伴って、表示部の機能を果たすことができ使用勝手を向上させることができ、また、茶筒の不使用時、つまり、筒本体の開口部を蓋体で覆った状態では、表示部を蓋体で覆って外観的に見えないようにして、その分、蓋体の外表面及び蓋体を装着した筒本体の外表面のデザイン等が占める領域を広く取ることができ、しかも、ストッパー部の機能付きの茶筒を紙で簡易に製造することができ、素材が紙であることから使用後の廃棄も容易である等の効果を奏する。
【００１６】
また、請求項５記載の茶筒によれば、上述した請求項１〜４記載の考案の効果に加え、筒本体の底部からストッパー部に至る高さｈと前記ストッパー部から前記筒本体の開口部の端部に至る高さＨとは、ｈ＜Ｈの関係であるため、表示部を大きく取れる分、表示部を見易くすることができる。
【００１７】
また、請求項６記載の容器によれば、容器の使用時、つまり、蓋体を筒本体から外した状態では、文字又は／及び図柄を表示した表示部が露出し、蓋体の開動作に伴って、表示部の機能を果たすことができ使用勝手を向上させることができ、また、容器の不使用時、つまり、筒本体の開口部を蓋体で覆った状態では、表示部を蓋体で覆って外観的に見えないようにして、その分、蓋体の外表面及び蓋体を装着した筒本体の外表面のデザイン等が占める領域を広く取ることができる等の効果を奏する。
【００１８】
また、請求項７記載の容器によれば、容器の使用時、つまり、蓋体を筒本体から外した状態では、文字又は／及び図柄を表示した表示部が露出し、蓋体の開動作に伴って、表示部の機能を果たすことができ使用勝手を向上させることができ、また、容器の不使用時、つまり、筒本体の開口部を蓋体で覆った状態では、表示部を蓋体で覆って外観的に見えないようにして、その分、蓋体の外表面及び蓋体を装着した筒本体の外表面のデザイン等が占める領域を広く取ることができ、しかも、ストッパー部の機能付きの容器を紙で簡易に製造することができ、素材が紙であることから使用後の廃棄も容易である等の効果を奏する。
【００１９】
また、請求項８記載の容器によれば、上述した請求項６又は７記載の考案の効果に加え、筒本体の底部からストッパー部に至る高さｈと前記ストッパー部から前記筒本体の開口部の端部に至る高さＨとは、ｈ＜Ｈの関係であるため、表示部を大きく取れる分、表示部を見易くすることができる。
【考案を実施するための最良の形態】
【００２０】
本考案の一実施例の茶筒を図面を参照して説明する。
図１〜図３において、１は茶筒で、茶筒１は、概略的に、円筒形の筒本体１０、蓋体２０から構成されている。
【００２１】
筒本体１０は、例えば、紙製で、上部に開口部を有するもので、より詳しくは、一端が閉じ、他端が開口した円筒形をなしている。筒本体１０は、図３及び図４に示すように、第１の筒体１１、第２の筒体１２、底部材１３で構成されている。
第１の筒体１１は、例えば、紙製で円筒形をなし、つまり、図５に示す略長方形Ａの短辺の一方側と略長方形Ａの短辺の他方側とを接着して円筒形に形成するようになっている（図３〜図５参照）。
Ａ１は、接着しろである。Ａ２は、第１の筒体１１の一方の開口部の端部は内方に折り曲げられて形成された折り曲げ部である。この折り曲げ部Ａ２は、図８に示す略長方形Ａの長辺の一端を折り曲げて形成するようになっている（図４〜図８参照）。
また、第２の筒体１２は、例えば、紙製で円筒形をなし、図９に示す略長方形Ｂの短辺の一方側と略長方形Ｂの短辺の他方側とを接着して円筒形に形成されると共に、第１の筒体１１の外表面に接着して円筒形に形成されている（図３、図４、図９参照）。          Ｂ１は、接着しろである。Ｂ２は、第２の筒体１２の一方の開口部の端部は内方に折り曲げられて形成された第１の折り曲げ部である。この第１の折り曲げ部Ｂ２は、図１２に示す略長方形Ｂの長辺の一端を折り曲げて形成するものである（図４、図９〜図１２参照）。
そして、第２の筒体１２の内径と第１の筒体１１の外径が略同じで、第１の筒体１１の略長方形Ａの短辺の長さは、第２の筒体１２の略長方形Ｂの短辺の長さより長いものとなっている（図３〜図１２参照）。
底部材１３は、例えば、紙製で略円盤状をなし、図３及び図４に示すように、第１の筒体１１の一方の開口部を塞ぐと共に、第１の筒体１１に接着されたもので、より詳しくは、第１の折り曲げ部Ｂ２の端部Ｂ３及び第１の筒体１１の一方の開口部の端部Ａ３に当接し、第１の筒体１１及び第２の筒体１２の一方の開口部を塞ぐと共に、第１の筒体１１に接着されている。図３に示すＣは、底部材１３と第１の筒体１１との接着された部位である。
なお、本実施例にあっては、図３に示すように、第２の筒体１２の下方の端部を折り曲げているが、本願考案にあっては、これに限らず、図示しないが、折り曲げなくても良い。また、第２の筒体１２の下方の端部は、第１の筒体１１の下方の端部より下方に位置したものとなっているが、本願考案にあっては、これに限らず、図示しないが、第２の筒体１２の下方の端部は、第１の筒体１１の下方の端部と同面でも良い。
【００２２】
また、図３に示すＢ４は、筒本体１０の外周に設けられたストッパー部で、ストッパー部Ｂ４は、筒本体１０の胴部の外表面に環状に設けられている。このストッパー部Ｂ４は、後述する第３の筒体２２の開口部の端部が第２の筒体１２の底部材１３から遠い側の端部に当接する第２の筒体１２の部位となっている。そして、ストッパー部Ｂ４と筒本体１０の開口部の上端部との間の筒本体１０の胴部の外表面、つまり、第２の筒体１２で覆われていない、露出している第１の筒体１１の胴部の外表面にお茶の入れ方を表示した表示部Ｄが形成されている（図２参照）。                                      
表示部Ｄの表示は、例えば、
「おすすめの淹れ方  
１、少しぬるめのお湯で    熱湯を湯冷ましに移します。湯冷まし（７０〜８０℃）                              をすることによってお茶のうま味が引き立ちます。
２、じっくり浸出させます。茶葉（６ｇで２〜３人分）を急須に入れて冷やしました                              お湯を注ぎ、フタをして２０〜３０秒ほどおいて、軽く                              振ってください。
３、最後の一滴まで        お茶の濃さや味が均等になる様に、湯呑みに順に注ぎま                              す。最後の一滴まで注ぎきることが大切。」を縦書きに印刷したものである。
そして、筒本体１０の開口部を蓋体２０で覆った状態において、表示部Ｄは、後述する蓋体２０の胴部で覆われ、蓋体２０の開口部の端部がストッパー部Ｂ４に当接して蓋体２０の移動が規制されることとなる。ストッパー部Ｂ４は、筒本体１０の開口部を蓋体２０で覆った状態において、後述する第３の筒体２２の開口部の端部が当接する第２の筒体１２の部位である。
【００２３】
蓋体２０は、下部に開口部を有し、筒本体１０の開口部と表示部Ｄとを覆うものである。蓋体２０は、天井部材２１、第３の筒体２２で構成されている。
第３の筒体２２は、例えば、紙製で円筒形をなし、図１５に示す略長方形Ｃの短辺の一方側と略長方形Ｃの短辺の他方側とを接着して円筒形に形成されている（図１３〜図１８参照）。
Ｃ１は、接着しろである。Ｃ２は、第３の筒体２２の一方の開口部の端部は内方に折り曲げられて形成された第３の折り曲げ部である。この第３の折り曲げ部Ｃ２は、図１５に示す略長方形Ｃの長辺の一端を折り曲げて形成するものである（図１３〜図１８参照）。
そして、第３の筒体２２の内径は第１の筒体１１の外径よりやや大きいものとなっている（図１〜図３参照）。
天井部材２１は、例えば、紙製で略円盤状をなし、図３及び図４に示すように、第３の筒体２２の一方の開口部を塞ぐと共に、第３の筒体２２に接着されたもので、より詳しくは、第３の折り曲げ部Ｃ２の端部Ｃ３に当接し、第３の筒体２２の一方の開口部を塞ぐと共に、第３の筒体２２に接着されている。
また、筒本体１０の底部からストッパー部Ｂ４に至る高さｈとストッパー部Ｂ４から筒本体１０の開口部の上端部に至る高さＨとは、例えば、ｈ＜Ｈの関係となっている（図１〜図３参照）。
その結果、表示部Ｄは、蓋体２０の胴部で覆われ、蓋体２０の開口部の端部がストッパー部Ｂ４に当接して蓋体２０の移動が規制されることとなる。
【００２４】
従って、上述した茶筒１によれば、茶筒１の使用時、つまり、蓋体２０を筒本体１０から外した状態では、お茶の入れ方を表示した表示部Ｄが露出し、蓋体２０の開動作に伴って、表示部Ｄの機能を果たすことができ使用勝手を向上させることができ、また、茶筒１の不使用時、つまり、筒本体１０の開口部を蓋体２０で覆った状態では、お茶の入れ方を表示した表示部Ｄを蓋体２０で覆って外観的に見えないようにして、その分、蓋体２０の外表面及び蓋体２０を装着した筒本体１０の外表面のデザイン等が占める領域を広く取ることができ、しかも、ストッパー部Ｂ４の機能付きの茶筒１を紙で簡易に製造することができ、素材が紙であることから使用後の廃棄も容易となる。
また、筒本体１０の底部からストッパー部Ｂ４に至る高さｈとストッパー部Ｂ４から筒本体１０の開口部の上端部に至る高さＨとは、ｈ＜Ｈの関係であるため、お茶の入れ方を表示した表示部Ｄを大きく取れる分、表示部Ｄを見易くすることができる。
【００２５】
なお、上述した実施例においては、表示部Ｄにお茶の入れ方を表示したが、本願考案にあっては、お茶の入れ方に限らず、表示部Ｄには、図示しないが、文字（お茶の入れ方以外の文字）又は／及び図柄を表示しても良い。
例えば、表示部Ｄに、お茶の品質、お茶の歴史、お茶の産地等、企業広告、商品広告等を文字で表示しても良いし、又、表示部Ｄに、父の日、母の日、敬老の日等の記念日の図柄、似顔絵、パズル、地図、路線図等の図柄で表示しても良いし、又、表示部Ｄに、文字及び図柄で表示しても良い。
【００２６】
なお、上述した実施例においては、茶筒１、つまり、茶の葉を入れておく筒形の容器としたが、本願考案にあっては、茶の葉を入れる茶筒に限らず、物を入れる容器にも適用できるものである。
かかる場合、表示部Ｄは、お茶の入れ方を表示したものに限らず、文字又は／及び図柄を表示したものとなる。
【図面の簡単な説明】
【００２７】
【図１】図１は、本考案の一実施例の茶筒の概略的斜視図である。
【図２】図２は、図１の蓋体により筒本体の開口部を覆う前の状態を示す概略的正面図である。
【図３】図３は、図２の概略的断面図である。
【図４】図４は、図１の筒本体の構成を分解して示す概略的分解斜視図である。
【図５】図５は、図４の第１の筒体を展開した状態の概略的展開図である。
【図６】図６は、図５の６−６線による概略的断面図である。
【図７】図７は、図５の７−７線による概略的断面図である。
【図８】図８は、図７の端部を折り曲げる前の状態を示す概略的断面図である。
【図９】図９は、図４の第２の筒体を展開した状態の概略的展開図である。
【図１０】図１０は、図９の１０−１０線による概略的断面図である。
【図１１】図１１は、図９の１１−１１線による概略的断面図である。
【図１２】図１２は、図１１の端部を折り曲げる前の状態を示す概略的断面図である。
【図１３】図１３は、図１の蓋体を分解して示す概略的分解斜視図である。
【図１４】図１４は、図１の蓋体の概略的断面図である。
【図１５】図１５は、図１の蓋体の構成の一部を展開した状態の概略的展開図である。
【図１６】図１６は、図１５の１６−１６線による概略的断面図である。
【図１７】図１７は、図１５の１７−１７線による概略的断面図である。
【図１８】図１８は、図１７の端部を折り曲げる前の状態を示す概略的断面図である。
【符号の説明】
【００２８】
１     …茶筒
１０   …筒本体
２０   …蓋体
Ｂ４   …ストッパー部
Ｄ     …表示部
【図１】
0003148189.tif 000003
【図２】
0003148189.tif 000004
【図３】
0003148189.tif 000005
【図４】
0003148189.tif 000006
【図５】
0003148189.tif 000007
【図６】
0003148189.tif 000008
【図７】
0003148189.tif 000009
【図８】
0003148189.tif 000010
【図９】
0003148189.tif 000011
【図１０】
0003148189.tif 000012
【図１１】
0003148189.tif 000013
【図１２】
0003148189.tif 000014
【図１３】
0003148189.tif 000015
【図１４】
0003148189.tif 000016
【図１５】
0003148189.tif 000017
【図１６】
0003148189.tif 000018
【図１７】
0003148189.tif 000019
【図１８】
0003148189.tif 000020